(57)【特許請求の範囲】
【請求項１】
床スラブにより複数の階層に区画して形成した集合住宅の上下階層において、
上階層の床スラブの一部を下方へ膨出させて凹状の多目的空間形成部を形成するとともに、同じく下階層の床スラブの一部を下方へ膨出させて凹状の多目的空間形成部を形成し、上下階層の多目的空間形成部は、左右方向に千鳥状となるように配置し、
多目的空間形成部の左右側部にそれぞれ床部支持体を設けるとともに、各床部支持体は、多目的空間形成部の内壁に当接板を当接する一方、多目的空間形成部の中程に同多目的空間形成部の上下に縦方向の束体を立設し、当接板の下部と束体の上部との間に傾斜状の支持部本体を架設し、同支持部本体の上部と当接板の上部との間に床受け板を架設して、同床受け板と当接板と支持部本体との各中央部にわたって内枠を架設して構成し、これら床部支持体により床部に作用する荷重を多目的空間形成部の壁部分にて受けるように構成したことを特徴とする集合住宅の床下構造。
【発明の詳細な説明】
【０００１】
【発明の属する技術分野】
本発明は、集合住宅の床下構造に関する。
【０００２】
【従来の技術】
従来、集合住宅の床下構造の一形態として、各階層を区画する床スラブ上に、複数の逆梁を上向きに突設して、同逆梁上に床材を横架して床面を形成することにより、床材と床スラブとの間に床下多目的空間を形成したものがある。
【０００３】
【発明が解決しようとする課題】
ところが、上記した床下構造は、以下のような不具合を有している。
【０００４】
▲１▼床スラブ上に逆梁を設ける逆梁工法は、不必要に大きな床下収納空間を形成して、無駄な床下収納空間も保有することになるため、比較的にコスト高になる。
【０００５】
▲２▼逆梁工法では、各階の高さが５００ｍｍ〜６００ｍｍ程度高くなるため、日影規制や高度斜線規制により、階数・床面積を確保することが困難である。
【０００６】
▲３▼逆梁を設けて床下収納空間を形成するため、各階の高さが高くなり、階数に制限が生じることから、集合住宅の戸数が制限されることになる。
【０００７】
▲４▼床下収納空間が大きいため、消防法の適用を受けて火災感知器の設置を義務付けられる等の煩わしさが生じる場合がある。
【０００８】
▲５▼床スラブに敷設する床材の下方に空間を形成したものは、床材を空間上方に支持するために、支持強度を高めるための各種構造が施工されて複雑かつ高価になっていた。
【０００９】
【課題を解決するための手段】
そこで、本発明では、床スラブにより複数の階層に区画して形成した集合住宅の上下階層において、上階層の床スラブの一部を下方へ膨出させて凹状の多目的空間形成部を形成するとともに、同じく下階層の床スラブの一部を下方へ膨出させて凹状の多目的空間形成部を形成し、上下階層の多目的空間形成部は、左右方向に千鳥状となるように配置し、多目的空間形成部の左右側部にそれぞれ床部支持体を設けるとともに、各床部支持体は、多目的空間形成部の内壁に当接板を当接する一方、多目的空間形成部の中程に同多目的空間形成部の上下に縦方向の束体を立設し、当接板の下部と束体の上部との間に傾斜状の支持部本体を架設し、同支持部本体の上部と当接板の上部との間に床受け板を架設して、同床受け板と当接板と支持部本体との各中央部にわたって内枠を架設して構成し、これら床部支持体により床部に作用する荷重を多目的空間形成部の壁部分にて受けるように構成したことを特徴とする集合住宅の床下構造を提供するものである。
【００１０】
【発明の実施の形態】
以下に、本発明の実施の形態について説明する。
【００１１】
すなわち、本発明に係る集合住宅の床下構造は、床スラブにより複数の階層に区画して形成した集合住宅において、各床スラブの一部を下方へ膨出させて、各床スラブに凹状の多目的空間形成部を形成している。
【００１２】
このようにして、各床スラブに多目的空間形成部を形成することにより、必要な場所に必要な大きさの多目的空間を、コスト負担を掛けることなく形成することができる。
【００１３】
そして、多目的空間形成部は、収納空間や配管スペースやメンテナンス空間等の多目的空間として有効利用することができる。
【００１４】
しかも、各階の高さに変更が生じないため、日影規制や高度斜線規制を受ける心配がなく、階数・床面積を有効に確保することができる。
【００１５】
さらには、各階の高さに変更が生じず、階数に制限が生じないことから、集合住宅の戸数が制限されることはない。
【００１６】
また、多目的空間形成部は、必要以上に大きく形成しないため、消防法の適用を受けることはなく、火災感知器の設置を義務付けられる等の煩わしさを生じることがない。
【００１７】
ここで、多目的空間形成部の直下方に位置する階下の部屋以外の部屋に、居室を配置することができる。
【００１８】
このようにして、居室の天井高さを大きく確保して、入居者に圧迫感を与えることなく、居住空間をゆったりと大きく形成することができる。その結果、居住性を良好に確保することができる。
【００１９】
また、多目的空間形成部の直下方に位置する階下の部屋に、キッチン、浴室、洗面所、及び、便所等の水廻り機能室を配置することができる。
【００２０】
このようにして、キッチン、浴室、及び、洗面所等の水廻り機能室は、天井部が高すぎると、清掃がし難い上に、熱効率が悪くなるという不具合があるが、かかる水廻り機能室は、下方に膨出する多目的空間形成部の直下方に位置する階下の部屋に配置していることより、同多目的空間形成部が下方に膨出している分だけ、水廻り機能室の天井部の高さを低くすることができて、同水廻り機能室の清掃をし易くすることができると共に、同水廻り機能室の熱効率を高くすることができる。
【００２１】
また、各階層の床スラブに形成した多目的空間形成部は、左右方向に千鳥状となるように階別に交互に配置することができる。
【００２２】
このようにして、集合住宅全体の荷重バランスを良好に保つことができて、集合住宅の強度も良好に確保することができる。
【００２３】
また、多目的空間形成部は、居室の直下方に配置することができる。
【００２４】
このようにして、居室の直下方に配置した多目的空間形成部に、物品を収納することができると共に、必要に応じて物品の出し入れを楽に行うことができる。
【００２５】
また、多目的空間形成部は、少なくとも一つの端面を梁部に直接接続することができる。
【００２６】
このようにして、多目的空間形成部を梁部に対して少なくとも一辺固定構造となすことができて、床スラブの剛性を良好に確保することができる。
【００２７】
また、多目的空間形成部内に複数の段差を有する凹部を形成することができる。
【００２８】
このようにして、多目的空間形成部内に形成した複数の段差を有する凹部内に、適宜高さの異なる収容物を収容することができて、収容効率を良好に確保することができる。
【００２９】
しかも、かかる多目的空間形成部の直下方に形成される天井裏の未利用空間を、最大限に有効利用することができる。
【００３０】
例えば、天井が低くても良い浴室や洗面所や便所と、天井をもう少し高くしておきたいキッチン等を隣接させて配設することができ、居住空間内のレイアウト設計に広がりをもたせることができる。
【００３１】
また、予め成形した床スラブ形成体を梁部間に架設して床スラブを形成すると共に、同床スラブ形成体には多目的空間形成部を形成することができる。
【００３２】
このようにして、床スラブ形成体をプラキャストコンクリートとして製品化しておくことにより、同床スラブ形成体の品質や強度管理等を生産工場等において良好に確保することができる。
【００３３】
しかも、床スラブ形成体を複数個用意してモジュール形式にて床スラブを形成することにより、同床スラブの施工を迅速かつ簡易に行うことができる。
【００３４】
さらには、床スラブ形成体に形成する多目的空間形成部の大きさを、例えば、ユニットバスよりも大きく形成しておくことにより、同多目的空間形成部へのユニットバスの配設作業を容易に行うことができる。
【００３５】
また、多目的空間形成部の間に側面視アーチ状の床部支持体あるいは支持部本体と束体とよりなる床部支持体を架設して床部に作用する荷重を多目的空間形成部の壁部分にて受けるように構成することができる。
【００３６】
このようにして、多目的空間形成部の上端部間に、側面視アーチ状の床部支持体を架設したり、支持部本体と束体とよりなる床部支持体を介設したりすることによって、床部に作用する荷重を多目的空間形成部の壁部分で受けることができて、簡単な構造により強度のある多目的空間形成部の床部形成ができるものである。
【００３７】
このように、アーチ及びトラスト構造であるため広いスパンをとることができる。
【００３８】
また、平面で支えるよりたわみが少なく強度的にも有利である。
【００３９】
【実施例】
以下に、本発明の実施例を、図面を参照しながら説明する。
【００４０】
図１及び図２に示すＡは、本発明に係わる鉄筋コンクリート製の集合住宅であり、同集合住宅Ａは、前後左右方向に対向させて立設した複数の柱部１と、対向する柱部１，１の間に横架した梁部２との間に、外壁３と内壁４と床スラブ５とを張設して、内部に複数の居住空間Ｓを区画した状態にて形成している。
【００４１】
そして、居住空間Ｓ内には、床部６を張設して、同床部６上に、リビング・ダイニングルーム７と和室８とキッチン９と浴室１０と洗面所１１と便所１２と洋室１３，１４と玄関１５と下駄箱１６と吊り戸棚２４と押入れ２５と物入れ２６とクローゼット２７，２８とを設けている。２０は窓、２１は内部仕切壁、２３は、左右対称位置にそれぞれ配置したパイプスペースである
ここで、居室としてのリビング・ダイニングルーム７と和室８と洋室１３，１４の内、本実施例では、和室８は、床部６の左右いずれか一側の中央部に形成する一方、キッチン９、浴室１０、洗面所１１、及び、便所１２等の水廻り機能室１７は、床部６の左右いずれか他側の中央部に形成して、和室８と水廻り機能室１７とを左右に隣接させて配置している。
【００４２】
しかも、和室８の直下方に位置する床スラブ５の部分には、下方へ膨出して、上面に凹状の多目的空間Ｓ１を形成する多目的空間形成部１８を形成し、同多目的空間形成部１８の直下方に位置する階下の部屋には、水廻り機能室１７を配置している。１９は収納ケースである。
【００４３】
このようにして、各階層の床スラブ５に形成した多目的空間形成部１８は、左右方向に千鳥状となるように階別に交互に配置して、集合住宅Ａ全体の荷重バランスを良好に保つと共に、集合住宅Ａの強度も良好に確保することができるようにしている。
【００４４】
この際、和室８の床部６（本実施例では畳２２を敷設している）の下には開閉体（図示せず）を設けて、同開閉体を開放することにより、和室８の直下方に配置した多目的空間形成部１８に、物品を楽に収納することができると共に、必要に応じて物品の出し入れを楽に行うことができる。
【００４５】
ここで、キッチン９、浴室１０、洗面所１１、及び、便所１２等の水廻り機能室１７は、床スラブ５の下面によって形成される各階層の天井部５ａが高すぎると、清掃がし難い上に、熱効率が悪くなるという不具合があるが、かかる水廻り機能室１７は、下方に膨出する多目的空間形成部１８の直下方に位置する階下の部屋に配置しているため、同多目的空間形成部１８が下方に膨出している分だけ、水廻り機能室１７の天井部５ａの高さを低くすることができて、同水廻り機能室１７の清掃をし易くすることができると共に、同水廻り機能室１７の熱効率を高くすることができる。
【００４６】
従って、清掃の容易化と熱効率の良好な確保が図れるように、水廻り機能室１７の天井部５ａの高さを必要最低限の高さに設定することにより、多目的空間形成部１８の容積を最大限に大きく設定することができて、必要最低限の多目的空間Ｓ１を確保することができる。
【００４７】
また、本実施例では、図２に示すように、和室８の直下方に形成した多目的空間形成部１８を、押入れ２５と物入れ２６とクローゼット２７の直下方位置まで伸延させて形成している。
【００４８】
図３は、多目的空間形成部１８の平面説明図、図４は、図３のＩ−Ｉ線断面図であり、同多目的空間形成部１８の底部１８−１の一側端面を小梁部４５に直接接続して、同小梁部４５に多目的空間形成部１８の底部１８−１の一辺を固定させた一辺固定構造となしている。
【００４９】
このように、多目的空間形成部１８が小さい場合には、少なくとも梁部である小梁部４５に底部１８−１の一辺を固定させた一辺固定構造となすことにより、床スラブ５の剛性を良好に確保することができる。
【００５０】
図５は、第１変容例としての多目的空間形成部１８の平面説明図、図６（ａ）は、図５のＩＩ  −ＩＩ線断面図、図６（ｂ）は、図５のＩＩ’−ＩＩ’線断面図であり、同多目的空間形成部１８の底部１８−１の左右側端面を、梁部２とそれに対向させて配置した小梁部４６に直接接続して、両梁部２，４６に多目的空間形成部１８の底部１８−１の二辺を固定させた二辺固定構造となしている。
【００５１】
このように、梁部２と小梁部４６とに多目的空間形成部１８の底部１８−１の二辺を固定させた二辺固定構造となすことにより、床スラブ５の剛性をより一層良好に確保することができる。
【００５２】
図７は、第２変容例としての多目的空間形成部１８の平面説明図、図８は、図７のＩＩＩ−ＩＩＩ線断面図であり、同多目的空間形成部１８の底部１８−１の三つの端面を、梁部２と二つの小梁部４５，４６に直接接続して、これら梁部２，４５，４６に多目的空間形成部１８の底部１８−１の三辺を固定させた三辺固定構造となしている。
【００５３】
このように、梁部２と小梁部４５，４６とに多目的空間形成部１８の底部１８−１の三辺を固定させた三辺固定構造となすことにより、床スラブ５の剛性をさらに一層良好に確保することができる。
【００５４】
図９は、第３変容例としての多目的空間形成部１８の平面説明図、図１０は、図９のＩＶ−ＩＶ線断面図であり、同多目的空間形成部１８の底部１８−１の四つの端面を、梁部２と三つの小梁部４５，４５，４６に直接接続して、これら梁部２，４５，４５，４６に多目的空間形成部１８の底部１８−１の四辺を固定させた四辺固定構造となしている。
【００５５】
このように、梁部２と小梁部４５，４５，４６とに多目的空間形成部１８の底部１８−１の四辺を固定させた四辺固定構造となすことにより、床スラブ５の剛性を強固なものとなすことができる。
【００５６】
図１１は、第４変容例としての多目的空間形成部１８の平面説明図、図１２は、図１１のＶ−Ｖ線断面図であり、同多目的空間形成部１８は三辺固定構造となすと共に、同多目的空間形成部１８内に複数（本実施例では二つ）の段差を有する凹部としての第１・第２多目的空間Ｓ１ａ，Ｓ１ｂを形成している。
【００５７】
このようにして、多目的空間形成部１８内に形成した第１・第２多目的空間Ｓ１ａ，Ｓ１ｂ内に、適宜高さの異なる収容物を収容することができて、収容効率を良好に確保することができる。
【００５８】
しかも、かかる多目的空間形成部１８の直下方に形成される天井裏の未利用空間を、最大限に有効利用することができる。
【００５９】
例えば、天井が低くても良い浴室１０や洗面所１１や便所１２と、天井をもう少し高くしておきたいキッチン９等を隣接させて配設することができ、居住空間Ｓ内のレイアウト設計に広がりをもたせることができる。
【００６０】
図１３は、第５変容例としての多目的空間形成部１８の平面説明図、図１４は、図１３のＶＩ−ＶＩ線断面図であり、同多目的空間形成部１８は四辺固定構造となすと共に、同多目的空間形成部１８内に複数（本実施例では二つ）の段差を有する凹部としての第１・第２多目的空間Ｓ１ａ，Ｓ１ｂを形成している。
【００６１】
このようにして、多目的空間形成部１８内に形成した第１・第２多目的空間Ｓ１ａ，Ｓ１ｂ内に、適宜高さの異なる収容物を収容することができて、収容効率を良好に確保することができると共に、多目的空間形成部１８の剛性を強固なものとなすことができる。
【００６２】
図１５は、第５変容例としての多目的空間形成部１８の第１・第２多目的空間Ｓ１ａ，Ｓ１ｂ内に、水廻り機能室１７に始端を接続した排水横管４７を配置した実施例を示しており、同実施例では、排水横管４７の終端を排水竪管４８に接続する場合に、第１多目的空間Ｓ１ａ分の大きな勾配を形成することができて、排水効率を向上させることができる。
【００６３】
そして、水廻り機能室１７をパイプスペース２３から離れた位置に配置した場合にも排水性を良好に確保することが可能となり、同水廻り機能室１７のレイアウトの自由度を増大させることができる。
【００６４】
図１６は、第２実施例としての多目的空間形成部１８を具備する集合住宅Ａの平面説明図、図１７は、同集合住宅Ａの断面側面図、図１８は、多目的空間形成部１８の平面図、図１９は、同多目的空間形成部１８の断面側面図であり、かかる多目的空間形成部１８は、予め成形した複数の床スラブ形成体５０を梁部２，２，２，２間に架設して床スラブ５を形成すると共に、同床スラブ形成体５０にはそれぞれ多目的空間形成部１８，１８を形成している。
【００６５】
そして、床スラブ形成体５０に形成する多目的空間形成部１８の大きさは、浴室１０を収容可能な大きさに形成しておくことにより、同多目的空間形成部１８の多目的空間Ｓ１内への浴室１０の施工作業を容易に行うことができる。
【００６６】
このようにして、床スラブ形成体５０をプレキャストコンクリートとして生産工場等において製品化しておくことにより、同床スラブ形成体５０の品質や強度管理等を生産工場等において良好に確保することができる。
【００６７】
しかも、床スラブ形成体５０を複数個用意してモジュール形式にて床スラブ５を形成することにより、同床スラブ５の施工を迅速かつ簡易に行うことができる。
【００６８】
図２０は、第３実施例としての多目的空間形成部１８を具備する床スラブ５の平面説明図、図２１は、同床スラブ５の断面側面図であり、かかる床スラブ５では、各部屋の床スラブ５の仮想中心線Ｃを中心に左右一側半部を多目的空間形成部１８となして、多目的空間Ｓ１を大きく確保している。
【００６９】
しかも、同一階の床スラブ５では、各部屋の多目的空間形成部１８を左右いずれかの同一側に形成して、上・下階の各多目的空間形成部１８を半分ずつ左右側方へずらした状態となすことにより、かかる床スラブ５の施工容易性を向上させることができる。
【００７０】
さらには、各階層毎の多目的空間形成部１８を、その上・下階の各多目的空間１８に対して左右側方へ半分ずつずらすだけであるため、すなわち、多目的空間形成部１８を、左右方向に半分ずつ千鳥状となるように階別に交互に配置しただけであるため、住居プランを全て同一のプランにすることができる。
【００７１】
図２２は、第４実施例としての多目的空間形成部１８を具備する床スラブ５の断面側面図であり、同床スラブ５では、床スラブ５に開口部５１を形成し、同開口部５１に、多目的空間形成体５２を嵌合させて、同開口部５１を塞ぐようにしている。
【００７２】
そして、多目的空間形成体５２は、図２３にも示すように、上面開口箱型に形成した形成体本体５３と、同形成体本体５３の上端周縁部に形成した係止用周縁体５４とを金属性素材により一体成形している。
【００７３】
このようにして、床スラブ５に開口部５１を形成しておき、適宜多目的空間形成体５２を嵌合させて配置することにより、施工中に多目的空間Ｓ１内に雨水等が溜まるのを防止することができる。
【００７４】
しかも、多目的空間形成体５２は、金属製としているため、防火、防音、荷重低減化が図れる。
【００７５】
図２４は、第５実施例としての多目的空間形成部１８を具備する床スラブ５の断面側面図であり、同床スラブ５では、床スラブ５に開口部５１を形成し、同開口部５１に、多目的空間形成体５２を嵌合させて、同開口部５１を塞ぐようにしている。
【００７６】
ここで、多目的空間形成体５２は、図２５にも示すように、前記した第４実施例の多目的空間形成体５２と基本的構造を同じくしているが、素材において、コンクリート製としている点でことなる。５５は吊り込み用連結片である。
【００７７】
このようにして、多目的空間形成体５２をプレキャストコンクリート製品となすことにより、同多目的空間形成部１８の品質・強度管理を良好に行うことができると共に、施工の容易化が図れる。
【００７８】
図２６は、第６実施例としての多目的空間形成部１８を具備する床スラブ５の断面側面図であり、同多目的空間形成部１８では、多目的空間Ｓ１内に複数個の収納ケース１９を収容して、各収納ケース１９に開閉蓋体５６を設けて、各開閉蓋体５６が閉蓋状態にて床部６の一部を形成するようにしている。
【００７９】
そして、収納ケース１９は、図２７にも示すように、スチロール等の断熱性、遮音（吸音）性等の効果を有する軽量な素材により成形して、断熱・防音効果を良好に確保している。
【００８０】
図２８は、第７実施例としての多目的空間形成部１８を具備する床スラブ５の断面側面図であり、同多目的空間形成部１８では、上端部間に側面視アーチ状の床部支持体５７を架設して、かかるアーチ状となした床部支持体５７により、床部６に作用する荷重を多目的空間形成部１８の壁部分にて受けることができるため、床部６を確実に支持することができるとともに、束を減らしても床の撓みを抑えることができる
従って、多目的空間Ｓ１を広く確保することが可能となると同時に、大きな開口部を確保することが可能となり、長尺の物品であっても多目的空間Ｓ１に容易に収納することができる。
【００８１】
なお、アーチ状となした床部支持体５７は、上面に形成した床受け板５７−１と、その下方のアーチ体５７−２と、床受け板５７−１とアーチ体５７−２との間に介在した縦フレーム５７−３とよりなり、左右外側には多目的空間形成部１８内の左右内壁に当接する当接板を形成して床部支持体５７が多目的空間形成部１８内に嵌入するようにしている。
【００８２】
図２９は、第８実施例としての多目的空間形成部１８を具備する床スラブ５の断面側面図であり、同多目的空間形成部１８では、左右側部に床部支持体５７，５７を設けて、これら床部支持体５７，５７により床部６を支持するようにしている。
【００８３】
すなわち、各床部支持体57は、多目的空間形成部18の内壁に当接板58-3を当接する一方、多目的空間形成部18の中程に同多目的空間形成部18の上下に縦方向の束体59を立設し、当接板58-3の下部と束体59の上部との間に傾斜状の支持部本体58を架設し、同支持部本体58の上部と当接板58-3の上部との間に床受け板58-1を架設して、同床受け板58-1と当接板58-3と支持部本体58との各中央部にわたって内枠58-2を架設して構成している。
そして、これら床部支持体57により床部６に作用する荷重を多目的空間形成部18の壁部分にて受けるように構成している。61は床開口部である。
【００８４】
このようにして、多数の束体５９を幅狭間隔にて配置することなく、床開口部６１の前・後・左・右側の四個所のみに配置するだけで、床部支持体５７により床部６に作用する荷重を多目的空間形成部１８の壁部分にて受けることができるため、床部６を確実に支持することができる。
【００８５】
ここで、床部６を形成する床材としては、ベニヤ、パーティクルボード、押出セメント成型板、ＡＬＣ版等が考えられるが、強度、重量、加工性、価格、環境問題等の問題から、リサイクルした段ボールのハニカム版を使用することもできる。
【００８７】
図３０は、閉蓋体支持体６５の斜視図であり、同閉蓋体支持体６５は、多目的空間形成部１８内に配置して、同多目的空間形成部１８を閉蓋して床部６の一部を形成する閉蓋体（図示せず）を支持するものである。
【００８８】
そして、閉蓋体支持体６５は、図３１にも示すように、伸縮自在の支持体形成片６６，６６，６６，６６と補強用連結片６７とから形成しており、多目的空間Ｓ１を閉蓋する際に、閉蓋体支持体６５を図３０に示すように組み立てて多目的空間Ｓ１内に配置し、同閉蓋体支持体６５上に閉蓋体を載置して、同閉蓋体を支持させることができる。６６ａ，６６ｂ，６６ｃは伸縮形成片である。
【００８９】
この際、閉蓋体支持体６５は、支持体形成片６６，６６，６６，６６と補強用連結片６７とから形成しているため、多目的空間Ｓ１内に収納物を支障なく収納することができる。
【００９０】
また、多目的空間Ｓ１を開放状態となす際には、閉蓋体支持体６５を収納空間Ｓ１より取り出して収縮させることにより、コンパクト化することができる。
【００９１】
【発明の効果】
本発明では、床スラブにより複数の階層に区画して形成した集合住宅の上下階層において、上階層の床スラブの一部を下方へ膨出させて凹状の多目的空間形成部を形成するとともに、同じく下階層の床スラブの一部を下方へ膨出させて凹状の多目的空間形成部を形成し、上下階層の多目的空間形成部は、左右方向に千鳥状となるように配置している。
【００９２】
このようにして、多目的空間形成部を形成することにより、必要な場所に必要な大きさの多目的空間を、コスト負担をかけることなく形成することができるとともに、集合住宅全体の荷重バランスを良好に保つことができて、集合住宅の強度も良好に確保することができる。
【００９３】
そして、多目的空間形成部は、収納空間や配管スペースやメンテナンス空間等の多目的空間として有効利用することができる。
【００９４】
しかも、各階の高さに変更が生じないため、日影規制や高度斜線規制を受ける心配がなく、階数・床面積を有効に確保することができる。
【００９５】
さらには、各階の高さに変更が生じず、階数に制限が生じないことから、集合住宅の戸数が制限されることはない。
【００９６】
また、多目的空間形成部は、必要以上に大きく形成しないため、消防法の適用を受けることはなく、火災感知器の設置を義務付けられる等の煩わしさを生じることがない。
【００９７】
また、本発明では、多目的空間形成部の左右側部にそれぞれ床部支持体を設けるとともに、各床部支持体は、多目的空間形成部の内壁に当接板を当接する一方、多目的空間形成部の中程に同多目的空間形成部の上下に縦方向の束体を立設し、当接板の下部と束体の上部との間に傾斜状の支持部本体を架設し、同支持部本体の上部と当接板の上部との間に床受け板を架設して、同床受け板と当接板と支持部本体との各中央部にわたって内枠を架設して構成し、これら床部支持体により床部に作用する荷重を多目的空間形成部の壁部分にて受けるように構成している。
【００９８】
このようにして、多数の束体を幅狭間隔にて配置することなく、多目的空間形成部の左右側部に床部支持体を配置するだけで、同床部支持体により床部に作用する荷重を多目的空間形成部の壁部分にて受けることができるため、床部を確実に支持することができる。
【図面の簡単な説明】
【図１】本発明に係る集合住宅の床下構造の断面正面説明図。
【図２】同床下構造の平面説明図。
【図３】多目的空間形成部の平面説明図。
【図４】図３のＩ−Ｉ線断面図。
【図５】第１変容例としての多目的空間形成部の平面説明図。
【図６】図５のＩＩ−ＩＩ線断面図（ａ）と図５のＩＩ’−ＩＩ’線断面図（ｂ）。
【図７】第２変容例としての多目的空間形成部の平面説明図。
【図８】図７のＩＩＩ−ＩＩＩ線断面図。
【図９】第３変容例としての多目的空間形成部の平面説明図。
【図１０】図９のＩＶ−ＩＶ線断面図。
【図１１】第４変容例としての多目的空間形成部の平面説明図。
【図１２】第１６のＶ−Ｖ線断面図。
【図１３】第５変容例としての多目的空間形成部の平面説明図。
【図１４】第１８のＶＩ−ＶＩ線断面図
【図１５】排水横管の配管構造を示す断面側面説明図。
【図１６】第２実施例としての多目的空間形成部を具備する集合住宅の平面説明図。
【図１７】同集合住宅の断面側面図。
【図１８】多目的空間形成部の平面図。
【図１９】同多目的空間形成部の断面側面図。
【図２０】第３実施例としての多目的空間形成部を具備する床スラブの平面説明図。
【図２１】同床スラブの断面側面図。
【図２２】第４実施例としての多目的空間形成部を具備する床スラブの断面側面図。
【図２３】同多目的空間形成体の平面図。
【図２４】第５実施例としての多目的空間形成部を具備する床スラブの断面側面図。
【図２５】同多目的空間形成体の平面図。
【図２６】第６実施例としての多目的空間形成部を具備する床スラブの断面側面図。
【図２７】収納ケースの一部切欠平面図。
【図２８】第７実施例としての多目的空間形成部を具備する床スラブの断面側面図。
【図２９】第８実施例としての多目的空間形成部を具備する床スラブの断面側面図。
【図３０】閉蓋体支持体の斜視図。
【図３１】閉蓋体支持体の一部拡大説明図。
【符号の説明】
Ａ  集合住宅
Ｓ  居住空間
Ｓ１  多目的空間
１  柱部
２  梁部
３  外壁
４  内壁
５  床スラブ
６  床部
７  リビングルーム
８  和室
９  キッチン
１７  水廻り機能室
１８  多目的空間形成部
【図１】
0003566247.tif 000002
【図２】
0003566247.tif 000003
【図３】
0003566247.tif 000004
【図４】
0003566247.tif 000005
【図５】
0003566247.tif 000006
【図６】
0003566247.tif 000007
【図７】
0003566247.tif 000008
【図８】
0003566247.tif 000009
【図９】
0003566247.tif 000010
【図１０】
0003566247.tif 000011
【図１１】
0003566247.tif 000012
【図１２】
0003566247.tif 000013
【図１３】
0003566247.tif 000014
【図１４】
0003566247.tif 000015
【図１５】
0003566247.tif 000016
【図１６】
0003566247.tif 000017
【図１７】
0003566247.tif 000018
【図１８】
0003566247.tif 000019
【図１９】
0003566247.tif 000020
【図２０】
0003566247.tif 000021
【図２１】
0003566247.tif 000022
【図２２】
0003566247.tif 000023
【図２３】
0003566247.tif 000024
【図２４】
0003566247.tif 000025
【図２５】
0003566247.tif 000026
【図２６】
0003566247.tif 000027
【図２７】
0003566247.tif 000028
【図２８】
0003566247.tif 000029
【図２９】
0003566247.tif 000030
【図３０】
0003566247.tif 000031
【図３１】
0003566247.tif 000032